(57)【特許請求の範囲】
【請求項１】
バッテリ収納空間および前記バッテリ収納空間に連通する挿入口を備えた電動機器に着脱可能に取り付けることができ、前記電動機器に電力を供給する脱着式バッテリ装置であって、
電力を貯蔵するバッテリ本体と、
前記バッテリ本体を収容するケースと、
前記ケースに設けられ、前記ケースから外側に向かって照明光を発する照明部と、
前記照明部の照明光の点灯および消灯を制御する照明光制御部とを備え、
当該脱着式バッテリ装置を前記電動機器の前記挿入口を介して前記バッテリ収納空間内へ挿入するときの当該脱着式バッテリ装置の移動方向を挿入方向というとすると、前記照明部における照明光の照射方向は前記挿入方向を含むように設定され、前記照明光は、利用者が当該脱着式バッテリ装置を前記電動機器の前記挿入口を介して前記バッテリ収納空間内へ挿入するときに暗所においても利用者が前記挿入口および前記バッテリ収容空間の内部を確認できるようにするために前記挿入口および前記バッテリ収納空間の内部を照射するものであり、
前記照明光制御部は、当該脱着式バッテリ装置が前記電動機器から取り外されたときに前記照明部における照明光を点灯し、当該脱着式バッテリ装置が前記電動機器に取り付けられたときに前記照明部における照明光を消灯することを特徴とする脱着式バッテリ装置。
【請求項２】
前記照明部は、前記ケースにおいて前記挿入方向を向いた面に設けられていることを特徴とする請求項１に記載の脱着式バッテリ装置。
【請求項３】
前記照明部は、前記ケースにおいて前記挿入方向を向いた端部に設けられていることを特徴とする請求項１または２に記載の脱着式バッテリ装置。
【請求項４】
当該脱着式バッテリ装置と前記電動機器との間の電気的接続状態を検出する接続検出部を備え、
前記照明光制御部は、前記接続検出部の検出結果により、当該脱着式バッテリ装置と前記電動機器との間が電気的に切断されたときには前記照明部における照明光を点灯し、当該脱着式バッテリ装置と前記電動機器との間が電気的に接続されたときには前記照明部における照明光を消灯することを特徴とする請求項１ないし３のいずれかに記載の脱着式バッテリ装置。
【請求項５】
当該脱着式バッテリ装置が前記電動機器の前記バッテリ収納空間に挿入されたか否かを検出する挿入検出部を備え、
前記照明光制御部は、前記挿入検出部の検出結果により、当該脱着式バッテリ装置が前記電動機器の前記バッテリ収納空間から引き出されたときには前記照明部における照明光を点灯し、当該脱着式バッテリ装置が前記電動機器の前記バッテリ収納空間に挿入されたときには前記照明部における照明光を消灯することを特徴とする請求項１ないし４のいずれかに記載の脱着式バッテリ装置。
【請求項６】
バッテリ収納空間および前記バッテリ収納空間に連通する挿入口を備えた電動機器に着脱可能に取り付けることができ、前記電動機器に電力を供給する脱着式バッテリ装置であって、
電力を貯蔵するバッテリ本体と、
前記バッテリ本体を収容するケースと、
前記ケースに設けられ、前記電動機器から取り外された状態の当該脱着式バッテリ装置を運ぶときに利用者が把持することができ、前記ケースから外側に突出した突出状態と前記ケースから外側に突出していない非突出状態との間で切換可能な把持部と、
前記把持部が前記突出状態であるか前記非突出状態であるかを検出する状態検出部と、
前記ケースに設けられ、前記ケースから外側に向かって照明光を発する照明部と、
前記照明部の照明光の点灯および消灯を制御する照明光制御部とを備え、
利用者が前記把持部を把持して当該脱着式バッテリ装置を運んでいる間に前記照明光の照射範囲に地面が入るように前記照明部における前記照明光の照明方向が設定され、
前記照明光制御部は、前記状態検出部の検出結果により、前記把持部が前記突出状態であるときには前記照明部における照明光を点灯し、前記把持部が前記非突出状態であるときには前記照明部における照明光を消灯することを特徴とする脱着式バッテリ装置。
【請求項７】
前記突出状態である前記把持部を前記非突出状態に戻すように前記把持部を付勢する付勢手段を備えていることを特徴とする請求項６に記載の脱着式バッテリ装置。
【請求項８】
前記照明光制御部は、前記照明部における照明光を、その点灯開始時から所定時間経過後に消灯することを特徴とする請求項１ないし７のいずれかに記載の脱着式バッテリ装置。
【請求項９】
前記照明部における照明光の点灯、消灯を手動で切り換える切換スイッチを備えていることを特徴とする請求項１ないし８のいずれかに記載の脱着式バッテリ装置。
【発明の詳細な説明】
【技術分野】
【０００１】
本発明は、電動機器に着脱可能に取り付けることができ、電動機器に電力を供給することができる脱着式バッテリ装置に関する。
【背景技術】
【０００２】
脱着式バッテリ装置を利用した電動機器には、例えば電動二輪車、簡易型電動車いす、電動アシスト自転車等がある。脱着式バッテリ装置は電動機器から取り外して部屋に持ち込んで充電を行うことができるので、電動機器がある程度大型であるために電動機器全体を屋内に運び入れることが困難な場合などには便利である。下記の特許文献１には電動アシスト自転車用の脱着式バッテリ装置が記載されている。
【先行技術文献】
【特許文献】
【０００３】
【特許文献１】特開平１１−１２９９６０号公報
【発明の概要】
【発明が解決しようとする課題】
【０００４】
ところで、電動二輪車等のように、ある程度大型であり、または利用場所が屋外である電動機器の場合には、夜間の屋外や、十分な照明のないガレージ内等で脱着式バッテリ装置の取付または取外を行うことがある。脱着式バッテリ装置の取付または取外を行う場所がこのような暗所である場合には、作業性が悪く、脱着式バッテリ装置の取付または取外を容易に、確実にまたは安全に行うことが難しいという問題がある。
【０００５】
特に、多くの電動二輪車は、脱着式バッテリ装置を収納する箇所が、シートの下に設けられ、脱着式バッテリ装置を取り付けてシートを閉じると、脱着式バッテリ装置が外部から完全に見えなくなるような構造を有している。このため、暗所で脱着式バッテリ装置を取り付ける場合に、シートを開けて脱着式バッテリ装置の収納箇所を確認しようとしても、当該収納箇所に光が全く入り込まないため当該収納箇所を十分に確認することができないことがある。脱着式バッテリ装置を取り付ける際には、脱着式バッテリ装置の取付位置や方向を正しく定める必要があることを併せて考慮すると、このような真っ暗な状況で脱着式バッテリ装置の取付を行うことはきわめて困難である。
【０００６】
また、電動アシスト自転車や簡易型電動車いすの場合には、脱着式バッテリ装置を取り付ける箇所が車両のフレームに設けられ、当該箇所を常に外部から視認することができる構造である場合が多い。しかし、このような構造である場合でも、暗所では、脱着式バッテリ装置を取り付ける箇所に異物がないか等を確認することが難しく、また脱着式バッテリ装置の取付方向を正しく定めることが難しい。
【０００７】
また、例えば、利用者が脱着式バッテリ装置を明るい部屋から、暗い屋外またはガレージ内にある電動二輪車へ運ぶ際、屋外の地面やガレージ内の床に置かれた物体に脱着式バッテリ装置をぶつけてしまうおそれがある。また、脱着式バッテリ装置を屋外またはガレージ内の平らでない場所に置いてしまい、脱着式バッテリ装置を倒してしまうおそれもある。
【０００８】
なお、上記特許文献１には、ランプが設けられた脱着式バッテリ装置を懐中電灯の代わりに用いることが記載されている。しかしながら、そもそも特許文献１に記載の脱着式バッテリ装置に設けられたランプの本来的な用途は自転車のヘッドランプである。このため、脱着式バッテリ装置を自転車の所定の箇所に取り付けた際に、自転車の前方を照射するようにランプが配置されている。ランプがこのような配置であるため、脱着式バッテリ装置を自転車へ取り付けるときに、脱着式バッテリ装置の収納箇所をランプによって十分に照射することが難しい。また、利用者が脱着式バッテリ装置の把持部を手で持って運ぶ場合に、ランプによって利用者の足元を十分に照らすためには、脱着式バッテリ装置を両手で支えて傾け、ランプの向きを変えなければならず不便である。また、特許文献１に記載の脱着式バッテリ装置に設けられたランプはヘッドランプとして用いられるものであるため、ランプの光量が、脱着式バッテリ装置の収納箇所や利用者の足元を照射するのに必要な光量を大幅に上回っており、明るすぎる。
【０００９】
本発明は例えば上述したような問題に鑑みなされたものであり、本発明の第１の課題は、暗所での電動機器への取付、電動機器からの取外、運搬を容易に、確実にまたは安全に行うことができる脱着式バッテリ装置を提供することにある。
【００１０】
また、本発明の第２の課題は、電動機器への取付、電動機器からの取外、運搬の際に用いる照明光の点灯、消灯の操作の手間をなくすことができる脱着式バッテリ装置を提供することにある。
【課題を解決するための手段】
【００１１】
上記課題を解決するために、本発明の第１の脱着式バッテリ装置は、バッテリ収納空間および前記バッテリ収納空間に連通する挿入口を備えた電動機器に着脱可能に取り付けることができ、前記電動機器に電力を供給する脱着式バッテリ装置であって、電力を貯蔵するバッテリ本体と、前記バッテリ本体を収容するケースと、前記ケースに設けられ、前記ケースから外側に向かって照明光を発する照明部と、前記照明部の照明光の点灯および消灯を制御する照明光制御部とを備え、当該脱着式バッテリ装置を前記電動機器の前記挿入口を介して前記バッテリ収納空間内へ挿入するときの当該脱着式バッテリ装置の移動方向を挿入方向というとすると、前記照明部における照明光の照射方向は前記挿入方向を含むように設定され、前記照明光は、利用者が当該脱着式バッテリ装置を前記電動機器の前記挿入口を介して前記バッテリ収納空間内へ挿入するときに暗所においても利用者が前記挿入口および前記バッテリ収容空間の内部を確認できるようにするために前記挿入口および前記バッテリ収納空間の内部を照射するものであり、前記照明光制御部は、当該脱着式バッテリ装置が前記電動機器から取り外されたときに前記照明部における照明光を点灯し、当該脱着式バッテリ装置が前記電動機器に取り付けられたときに前記照明部における照明光を消灯することを特徴とする。
【００１２】
本発明のこの態様によれば、脱着式バッテリ装置を電動機器に取り付けるべく、脱着式バッテリ装置を電動機器の挿入口に近づけたとき、脱着式バッテリ装置の照明部から発せられる照明光により電動機器の挿入口およびバッテリ収納空間内が照射される。これにより、たとえ脱着式バッテリ装置の電動機器への取り付け作業または電動機器からの取外作業を行う場所が暗所であったとしても、当該作業を容易に、確実にまたは安全に行うことができる。
【００１３】
また、本発明のこの態様によれば、利用者が脱着式バッテリ装置を電動機器から取り外すと、照明光が自動的に点灯するので、取扱が容易になり、便利である。また、利用者が脱着式バッテリ装置を電動機器に取り付けると、照明光が自動的に消灯するので、便利であると共に、照明光の不要な点灯を防止して電力を削減することができる。
【００１４】
また、上述した本発明の第１の脱着式バッテリ装置において、前記照明部は、前記ケースにおいて前記挿入方向を向いた面に設けられていることが好ましい。
【００１５】
本発明のこの態様によれば、脱着式バッテリ装置を電動機器の挿入口に近づけると、脱着式バッテリ装置のケースの挿入方向を向いた面と、電動機器の挿入口とが互いに向かい合う。これにより、脱着式バッテリ装置の照明部から発せられる照明光によって電動機器の挿入口およびバッテリ収納空間内を確実に照射することができる。
【００１６】
また、上述した本発明の第１の脱着式バッテリ装置において、前記照明部は、前記ケースにおいて前記挿入方向を向いた端部に設けられていることが好ましい。
【００１７】
本発明のこの態様によれば、脱着式バッテリ装置を電動機器の挿入口に近づけると、脱着式バッテリ装置のケースの挿入方向に向いた端部が、当該ケースの他の部分と比較して電動機器の挿入口に最も接近する。これにより、脱着式バッテリ装置の照明部から発せられる照明光により電動機器の挿入口およびバッテリ収納空間内を確実に照射することができる。特に、照明部を、ケースにおいて挿入方向に向いた最端部に設けることとすれば、脱着式バッテリ装置を電動機器の挿入口に近づけたときに、電動機器の挿入口を照射する照明光を遮断する障害物をなくすことができ、照明光の照射範囲を広くすることができ、照明光により電動機器の挿入口およびバッテリ収納空間内をより一層確実に照射することができる。
【００１８】
また、上述した本発明の第１の脱着式バッテリ装置において、当該脱着式バッテリ装置と前記電動機器との間の電気的接続状態を検出する接続検出部を備え、前記照明光制御部は、前記接続検出部の検出結果により、当該脱着式バッテリ装置と前記電動機器との間が電気的に切断されたときには前記照明部における照明光を点灯し、当該脱着式バッテリ装置と前記電動機器との間が電気的に接続されたときには前記照明部における照明光を消灯することが好ましい。
【００１９】
本発明のこの態様によれば、利用者が脱着式バッテリ装置を電動機器から取り外すと、照明光が自動的に点灯する。これにより、点灯スイッチを押す等、照明光を点灯させるための特別な操作が不要になるので、取扱が容易になり、便利である。特に、脱着式バッテリ装置の取外作業のために両手がふさがっている場合でも照明光を点灯させることができ、暗所での作業の安全性を確保することができる。また、利用者が脱着式バッテリ装置を電動機器に取り付けると、照明光が自動的に消灯する。これにより、消灯スイッチを押す等、照明光を消灯させるための特別な操作が不要になるので、取扱が容易になって便利であると共に、照明光の不要な点灯を防止し、照明光点灯に用いられる電力を削減することができる。
【００２０】
また、上述した本発明の第１の脱着式バッテリ装置において、当該脱着式バッテリ装置が前記電動機器の前記バッテリ収納空間に挿入されたか否かを検出する挿入検出部を備え、前記照明光制御部は、前記挿入検出部の検出結果により、当該脱着式バッテリ装置が前記電動機器の前記バッテリ収納空間から引き出されたときには前記照明部における照明光を点灯し、当該脱着式バッテリ装置が前記電動機器の前記バッテリ収納空間に挿入されたときには前記照明部における照明光を消灯する構成としてもよい。
【００２１】
本発明のこの態様によれば、利用者が脱着式バッテリ装置を電動機器から取り外すと、照明光が自動的に点灯するので、取扱が容易になり、便利である。また、利用者が脱着式バッテリ装置を電動機器に取り付けると、照明光が自動的に消灯するので、便利であると共に、照明光の不要な点灯を防止して電力を削減することができる。
【００２２】
上記課題を解決するために、本発明の第２の脱着式バッテリ装置は、バッテリ収納空間および前記バッテリ収納空間に連通する挿入口を備えた電動機器に着脱可能に取り付けることができ、前記電動機器に電力を供給する脱着式バッテリ装置であって、電力を貯蔵するバッテリ本体と、前記バッテリ本体を収容するケースと、前記ケースに設けられ、前記電動機器から取り外された状態の当該脱着式バッテリ装置を運ぶときに利用者が把持することができ、前記ケースから外側に突出した突出状態と前記ケースから外側に突出していない非突出状態との間で切換可能な把持部と、前記把持部が前記突出状態であるか前記非突出状態であるかを検出する状態検出部と、前記ケースに設けられ、前記ケースから外側に向かって照明光を発する照明部と、前記照明部の照明光の点灯および消灯を制御する照明光制御部とを備え、利用者が前記把持部を把持して当該脱着式バッテリ装置を運んでいる間に前記照明光の照射範囲に地面が入るように前記照明部における前記照明光の照明方向が設定され、前記照明光制御部は、前記状態検出部の検出結果により、前記把持部が前記突出状態であるときには前記照明部における照明光を点灯し、前記把持部が前記非突出状態であるときには前記照明部における照明光を消灯することを特徴とする。
【００２３】
本発明のこの態様によれば、利用者が把持部を手で持って脱着式バッテリ装置を運ぶとき、照明光により利用者の足元を照らすことができる。これにより暗所であっても、脱着式バッテリ装置を容易にまたは安全に運ぶことができる。
【００２４】
また、本発明のこの態様によれば、利用者は、電動機器から取り外された状態の脱着式バッテリ装置を運ぶ際には、把持部を突出状態にし、突出状態の把持部を手で持って脱着式バッテリ装置を運ぶ。利用者が把持部を突出状態にすると照明光が自動的に点灯するので、脱着式バッテリ装置を運ぶ際、利用者は、照明光を点灯させるための特別な操作をすることなく足元を照らすことができる。一方、脱着式バッテリ装置を電動機器に取り付けた後、把持部を非突出状態にすると、照明光が自動的に消灯するので、利用者は、照明光を消灯させるための特別な操作をすることなく、照明光を消灯させることができ、無駄な電力消費を抑えることができる。
【００２５】
また、上述した本発明の第２の脱着式バッテリ装置において、前記突出状態である前記把持部を前記非突出状態に戻すように前記把持部を付勢する付勢手段を備えていることが好ましい。
【００２６】
本発明のこの態様によれば、例えば、脱着式バッテリ装置を電動機器に取り付けた後、利用者が把持部から手を離すと、把持部が自動的に非突出状態に戻り、照明光が自動的に消灯する。これにより、照明光の消灯を容易にかつ確実に行うことができ、電力消費の削減を徹底することができる。
【００２７】
また、上述した本発明の第１または第２の脱着式バッテリ装置において、前記照明光制御部は、前記照明部における照明光を、その点灯開始時から所定時間経過後に消灯する構成としてもよい。
【００２８】
本発明のこの態様によれば、照明光の点灯が長時間継続することを防止することができ、電力の消費を抑えることができる。
【００２９】
また、上述した本発明の第１または第２の脱着式バッテリ装置において、前記照明部における照明光の点灯、消灯を手動で切り換える切換スイッチを備えていることが好ましい。
【００３０】
本発明のこの態様によれば、利用者の意思に応じて照明光の点灯、消灯を切り換えることができる。
【発明の効果】
【００３１】
本発明によれば、暗所での脱着式バッテリ装置の電動機器への取付、電動機器からの取外、運搬を容易に、確実にまたは安全に行うことができる。また、脱着式バッテリ装置の電動機器への取付、電動機器からの取外、運搬の際に用いる照明光の点灯、消灯の操作の手間をなくすことができる。
【図面の簡単な説明】
【００３２】
【図１】本発明の実施形態による脱着式バッテリ装置が取り付けられた電動二輪車を示す説明図である。
【図２】図１中の電動二輪車のシートを立ち上げて収納ボックスを開いた状態を示す説明図である。
【図３】図２中の電動二輪車の収納ボックスから脱着式バッテリ装置およびスペアバッテリ装置を取り除いた状態を示す説明図である。
【図４】図１中の電動二輪車のメータを示す説明図である。
【図５】本発明の実施形態による脱着式バッテリ装置を示す斜視図である。
【図６】図５中の脱着式バッテリ装置を示す平面図である。
【図７】図５中の脱着式バッテリ装置を示す右側面図である。
【図８】図５中の脱着式バッテリ装置を示す底面図である。
【図９】本発明の実施形態による脱着式バッテリ装置において把持部の姿勢を検出するための構造を示す説明図である。
【図１０】本発明の実施形態による脱着式バッテリ装置においてＬＥＤランプの点灯、消灯を制御する処理を示すフローチャートである。
【図１１】本発明の実施形態による脱着式バッテリ装置を充電している様子を示す説明図である。
【図１２】本発明の実施形態による脱着式バッテリ装置を電動二輪車に取り付ける様子を示す説明図である。
【図１３】本発明の実施形態による脱着式バッテリ装置においてＬＥＤランプの点灯、消灯を制御する他の処理を示すフローチャートである。
【発明を実施するための形態】
【００３３】
以下、本発明の実施の形態について図面を参照しながら説明する。
【００３４】
（電動二輪車）
図１は本発明の実施形態による脱着式バッテリ装置が取り付けられた電動機器としての電動二輪車を示している。図１において、電動二輪車１は、電力をエネルギー源として走行等の動作を行う二輪の車両である。電動二輪車１は、その骨組みを形成するフレーム２と、フレーム２の前下側にフロントフォーク等を介して支持された前輪３と、フレーム２の後ろ下側に設けられたドライブユニット４と、ドライブユニット４に支持された後輪５とを備えている。ドライブユニット４には電動モータ等が設けられ、電動二輪車１はこの電動モータを駆動させることにより走行する。また、電動二輪車１の前上側にはハンドル６およびメータ７が設けられ、電動二輪車１の前後方向ほぼ中間部上側にはシート８が設けられ、シート８の下側には収納ボックス９が設けられている。また、収納ボックス９内には、バッテリ収納空間としてのバッテリ収納部１１が形成され、バッテリ収納部１１には、本発明の実施形態による脱着式バッテリ装置２１が収納されている。さらに、収納ボックス９内には、スペアバッテリ収納部１２および小物収納部１３が形成され、スペアバッテリ収納部１２にはスペアバッテリ装置２２が収納されており、小物収納部１３には、例えば工具、マニュアル、小物等を収納することができる。
【００３５】
図２は、脱着式バッテリ装置２１およびスペアバッテリ装置２２が収納された状態の収納ボックス９を示し、図３は、脱着式バッテリ装置２１およびスペアバッテリ装置２２が取り除かれた状態の収納ボックス９を示す。
【００３６】
図２に示すように、収納ボックス９には挿入口１５が形成されている。挿入口１５は、上方向に開口し、バッテリ収納部１１、スペアバッテリ収納部１２および小物収納部１３にそれぞれ連通している。電動二輪車１の走行時、停止時、駐輪時などの通常使用時には、図１に示すように、シート８により挿入口１５は塞がれている。脱着式バッテリ装置２１、スペアバッテリ装置２２または小物等を電動二輪車１に取り付け、または電動二輪車１から取り外すときには、図２または図３に示すように、シート８を立ち上げる。
【００３７】
図３に示すように、バッテリ収納部１１、スペアバッテリ収納部１２および小物収納部１３は収納ボックス９の前側から後ろ側に向かってこの順序で配置されている。バッテリ収納部１１は、その内部に脱着式バッテリ装置２１がぴったりと収納され、保持されるように、その形状および大きさが設定されている。また、バッテリ収納部１１は、脱着式バッテリ装置２１の上下方向中間部から下部にかけての部分（上端部を除くほとんどの部分）がその内部に入り込むように、その深さ方向の寸法が設定されている。これにより、走行時の振動等によって脱着式バッテリ装置２１が動いてしまうことのないように脱着式バッテリ装置２１をバッテリ収納部１１内にしっかりと保持することができる。さらに、バッテリ収納部１１内の空間はほぼ上下方向（深さ方向）に直線的に伸びている。これにより、脱着式バッテリ装置２１を上から下方向に直線的に移動させることによりバッテリ収納部１１に収納することができ、脱着式バッテリ装置２１を下から上方向に直線的に移動させることによりバッテリ収納部１１から引き出すことができる。一方、スペアバッテリ収納部１２も、バッテリ収納部１１と同様に、その内部にスペアバッテリ装置２２をしっかりと保持することができるように形成されている。
【００３８】
また、図３に示すように、収納ボックス９内において、バッテリ収納部１１の前側には接続部１６が設けられている。接続部１６は、それぞれほぼ上下方向に伸びる複数の接続端子を備えている。図２に示すようにバッテリ収納部１１に脱着式バッテリ装置２１を収納した状態では、脱着式バッテリ装置２１に設けられた接続端子（接続部３６）が、収納ボックス９内に設けられた接続端子（接続部１６）と接続される。これにより、脱着式バッテリ装置２１のバッテリ本体３１と電動二輪車１内の電気回路（図示せず）とが電気的に接続され、脱着式バッテリ装置２１から電動二輪車１への電力の供給が可能になる。
【００３９】
また、図３に示すように、収納ボックス９内において、接続部１６の前方には、バッテリロック部１７が設けられている。バッテリロック部１７は、バッテリ収納部１１内に収納された脱着式バッテリ装置２１をロックする装置である。また、バッテリロック部１７はバッテリロックケーブル１７Ａを備えており、脱着式バッテリ装置２１を電動二輪車１から取り外すべくバッテリ収納部１１から引き出すときには、バッテリロックケーブル１７Ａを上方に引っ張ることで脱着式バッテリ装置２１に対するロックを解除することができる。
【００４０】
図４は電動二輪車１のハンドル６の近傍に設けられたメータ７を示している。図４に示すように、メータ７は表示画面２５を備えている。表示画面２５は、例えば液晶ディスプレイ装置等により形成され、表示画面２５内には、残量表示部２６、速度表示部２７、運転モード表示部２８等が形成されている。残量表示部２６は、脱着式バッテリ装置２１のバッテリ残量を利用者に対して表示する部分である。速度表示部２７は、電動二輪車１の走行速度を利用者に対して表示する部分である。運転モード表示部２８は、電動二輪車１の選択されている運転モードを利用者に対して表示する部分である。その他、メータ７には、走行距離、時間、方向指示等、電動二輪車１に関する様々な情報を利用者に表示する手段が設けられている。
【００４１】
（脱着式バッテリ装置）
図５ないし図９は本発明の実施形態による脱着式バッテリ装置２１を示している。図５において、脱着式バッテリ装置２１は、電動二輪車１に着脱可能に取り付けることができ、電動二輪車１に電力を供給する装置である。脱着式バッテリ装置２１は、例えばリチウムイオン電池等の充電式電池から構成されるバッテリ本体３１と、バッテリ本体３１を収容する例えば樹脂製のケース３２とを備えている。
【００４２】
ケース３２は箱状に形成され、具体的には、前面３２Ａ、後面３２Ｂ、上面３２Ｃ、下面３２Ｄ、右側面３２Ｅおよび左側面３２Ｆを有する直方体状に形成されている。すなわち、シート８に運転姿勢で座した運転者を基準にした場合、脱着式バッテリ装置２１を電動二輪車１のバッテリ収納部１１に収納した状態で、前方、後方、上方、下方、右方、左方を向く表面がそれぞれ前面３２Ａ、後面３２Ｂ、上面３２Ｃ、下面３２Ｄ、右側面３２Ｅ、左側面３２Ｆである。ここで、脱着式バッテリ装置２１を電動二輪車１の収納ボックス９の挿入口１５を介してバッテリ収納部１１に挿入するときには、脱着式バッテリ装置２１を図５（図７、図１２）中の矢示Ａ方向に移動させる。以下、この方向を「挿入方向Ａ」という。また、ケース３２の前面３２Ａ側であって、挿入方向Ａを向いた端部、すなわち下端部には、段部３３が形成されている。
【００４３】
また、ケース３２の前面３２Ａ上の上側には端子収容部３５が設けられ、端子収容部３５には、それぞれ上下方向に伸びる複数の接続端子を有する接続部３６が設けられている。接続部３６の接続端子は、ケース３２内においてバッテリ本体３１に電気的に接続されている。
【００４４】
また、ケース３２の前面３２Ａの上端部右側（図５においては左側）には充電接続部３７が設けられている。充電接続部３７は、例えば、脱着式バッテリ装置２１を充電する際に充電ケーブル５１（図１１参照）を接続するためのジャックである。図５においては、当該ジャックにカバーが取り付けられている。
【００４５】
また、図５または図７に示すように、ケースの挿入方向Ａを向いた端部であって、かつ挿入方向Ａを向いた面、具体的には、ケース３２の下端部に形成された段部３３の下向き面３３Ａには残量表示ユニット３８が設けられている。残量表示ユニット３８は、脱着式バッテリ装置２１のバッテリ残量を表示する機能を有する。残量表示ユニット３８は、図５または図８に示すように、複数のＬＥＤランプ３９および切換スイッチ４０を備えている。
【００４６】
複数のＬＥＤランプ３９は一列に配列されている。バッテリが満充電状態であるとき、またはバッテリ残量が十分であるときにはすべてのＬＥＤランプ３９が点灯する。バッテリ残量がある程度減ると、例えば、図８中の最も右側に配置された１つのＬＥＤランプ３９が消灯し、これを除くすべてのＬＥＤランプ３９が点灯する。バッテリ残量がさらに減ると、図８中の最も右側に配置された２つのＬＥＤランプ３９が消灯し、これらを除くすべてのＬＥＤランプ３９が点灯する。そして、バッテリ残量が減少するに連れて、このように消灯するＬＥＤランプ３９の個数が増加していく。各ＬＥＤランプ３９の点灯に必要な電力はバッテリ本体３１から供給される。
【００４７】
切換スイッチ４０は、ＬＥＤランプ３９の点灯、消灯を切り換えるスイッチである。上述したようにバッテリ残量に応じた個数のＬＥＤランプ３９が点灯しているときに切換スイッチ４０を押下すると、バッテリ残量に拘わらずすべてのＬＥＤランプ３９が消灯し、ＬＥＤランプ３９によるバッテリ残量の表示が行われなくなる。一方、このようにＬＥＤランプ３９によるバッテリ残量の表示が行われていない間に切換スイッチ４０を押下すると、ＬＥＤランプ３９によるバッテリ残量の表示が行われ、バッテリ残量に応じた個数のＬＥＤランプ３９が点灯する。
【００４８】
利用者は、脱着式バッテリ装置２１を電動二輪車１から取り外している間は、残量表示ユニット３８のＬＥＤランプ３９を見ることにより脱着式バッテリ装置２１のバッテリ残量を確認することができる。一方、脱着式バッテリ装置２１を電動二輪車１に取り付けている間は、利用者は電動二輪車１に設けられたメータ７の表示画面２５中の残量表示部２６を見ることにより脱着式バッテリ装置２１のバッテリ残量を確認することができる。
【００４９】
ここで、残量表示ユニット３８の各ＬＥＤランプ３９は、ケース３２から外側に向かって照明光を発する照明部として機能する。各ＬＥＤランプ３９は、上述したように、ケース３２において挿入方向Ａを向いた端部であって、かつ挿入方向Ａを向いた面に配置されている。そして、各ＬＥＤランプ３９から発せられる照明光は、その照射方向が挿入方向Ａを含むように設定されている。また、各ＬＥＤランプ３９の光量はバッテリ残量を表示するのに十分な光量に設定されているだけでなく、後述するように、暗所で利用者が脱着式バッテリ装置２１の把持部４１を把持して脱着式バッテリ装置２１を運んでいる間に利用者の足元を含む地面を適切に照射することができ、かつ、暗所で利用者が把持部４１を把持して脱着式バッテリ装置２１を電動二輪車１のバッテリ収納部１１に挿入しようとするときに収納ボックス９の挿入口１５を適切に照射することができるような光量に設定されている。一方、切換スイッチ４０は、ＬＥＤランプ３９によりバッテリ残量の表示を行うか否かを切り換えるスイッチとして機能するだけなく、当該照明光の点灯、消灯を手動で切り換えるスイッチとして機能する。
【００５０】
一方、図５に示すように、ケース３２の上端部には把持部４１が設けられている。把持部４１は、図６に示すように、ケース３２の上面３２Ｃ上に形成された一対の支持部４２により支持されている。把持部４１は略Ｕ字型の棒状に形成されている。把持部４１の両端部には軸部４３がそれぞれ形成され、一方の軸部４３が一方の支持部４２に回転可能に支持され、他方の軸部４３が他方の支持部４２に回転可能に支持されている。これにより、把持部４１は各支持部４２に対して回転し、図７または図９中の矢示Ｂに示すように、その姿勢を変えることができる。
【００５１】
ここで、図６、図７または図９において実線で示すように、把持部４１が起立し、ケース３２から把持部４１が突出した状態を「突出状態」という。また、図６、図７または図９において二点鎖線で示すように、把持部４１が横に倒れており、ケース３２から把持部４１が突出していない状態を「非突出状態」という。電動二輪車１から取り外された状態の脱着式バッテリ装置２１を運ぶときには、把持部４１を突出状態にする。これにより、利用者は把持部４１を手で持って脱着式バッテリ装置２１を持ち上げ、これを容易に運ぶことができる。また、電動二輪車１のバッテリ収納部１１に収納された脱着式バッテリ装置２１をバッテリ収納部１１から取り外すときには、把持部４１を突出状態にする。これにより、利用者は把持部４１を手で持って引っ張ることで脱着式バッテリ装置２１をバッテリ収納部１１から容易に引き出すことができる。一方、バッテリ収納部１１に脱着式バッテリ装置２１を収納し、シート８を閉じる場合には、シート８を閉じる前に把持部４１を非突出状態にする。電動二輪車１の走行時等には脱着式バッテリ装置２１の把持部４１は非突出状態を維持している。
【００５２】
また、脱着式バッテリ装置２１は、図９に示すように、把持部４１の姿勢、すなわち把持部４１が突出状態であるか非突出状態であるかを検出する状態検出部としてのセンサ４４を備えている。例えば、センサ４４は、いずれか一方の支持部４２内に配置されている。センサ４４は検知突起部４５を有し、一方、把持部４１の軸部４３にはカム部４６が形成されている。そして、上記支持部４２内において、検知突起部４５の先端部とカム部４６とは、互いに対向するように配置されている。そして、検知突起部４５は、センサ４４内に設けられた図示しない付勢部材により伸長する方向に付勢されている。
【００５３】
例えば、把持部４１が非突出状態であるときには、検知突起部４５がカム部４６の凸状部（または軸部４３の未加工の周面）により押され、上記付勢部材による付勢力に抗して短縮する方向に変位する。このとき、センサ４４は例えばローレベルの検出信号を出力する。一方、把持部４１が突出状態であるときには、検知突起部４５の先端がカム部４６の凹状部（または軸部４３に形成された凹部もしくは切欠き部）と対向し、上記付勢手段の付勢力により伸長する方向に変位する。このとき、センサ４４は例えばハイレベルの検出信号を出力する。
【００５４】
さらに、脱着式バッテリ装置２１は、残量表示ユニット３８のＬＥＤランプ３９の点灯、消灯を制御する照明光制御部としての制御回路４７を備えている。制御回路４７は例えば図５に示すように、ケース３２内に設けられている。制御回路４７には各ＬＥＤランプ３９が電気的に接続されている。また、制御回路４７には残量表示ユニット３８の切換スイッチ４０が電気的に接続されている。また、制御回路４７にはセンサ４４が電気的に接続されている。また、制御回路４７はタイマを有している。
【００５５】
具体的には、制御回路４７は、切換スイッチ４０が押下されたこと、およびＬＥＤランプ３９の現在の点灯状況に基づいてＬＥＤランプ３９を点灯から消灯へ、または消灯から点灯へ切り換える。また、制御回路４７は、センサ４４から出力された検出信号に基づいてＬＥＤランプ３９を点灯から消灯へ、または消灯から点灯へ切り換える。さらに、制御回路４７は、タイマを用い、ＬＥＤランプ３９が点灯してから所定時間経過後にＬＥＤランプ３９を消灯させる。なお、ＬＥＤランプ３９を点灯させる際、制御回路４７は、上述したようにバッテリ残量に応じてＬＥＤランプ３９を点灯させる。
【００５６】
また、制御回路４７は、電動二輪車１と脱着式バッテリ装置２１との間の電気的接続の有無を検出する機能を備えている。具体的には、制御回路４７は、電動二輪車１の収納ボックス９内に設けられた接続部１６と脱着式バッテリ装置２１の接続部３６との間の接続の有無、または電動二輪車１に設けられた電気回路と脱着式バッテリ装置２１のバッテリ本体３１との間の電気的接続の有無を検出することができる。そして、制御回路４７は、電動二輪車１と脱着式バッテリ装置２１との間の電気的接続が検出されたとき、ＬＥＤランプ３９を消灯する。
【００５７】
図１０は制御回路４７の動作をより具体的に示している。図１０に示すように、利用者が把持部４１を起立させ、把持部４１が突出状態になり、センサ４４がこの旨を検出し、例えばハイレベルの検出信号を出力したとき、制御回路４７はこの検出信号に基づいて把持部４１が突出状態になったと判断する（ステップＳ１：ＹＥＳ）。そして、制御回路４７は、現時点のバッテリ残量に応じてＬＥＤランプ３９を点灯させる（ステップＳ２）。
【００５８】
その後、利用者が把持部４１を寝かせ、把持部４１が非突出状態になり、センサ４４がこの旨を検出し、例えばローレベルの検出信号を出力したとき、制御回路４７はこの検出信号に基づいて把持部４１が非突出状態になったと判断する（ステップＳ３：ＹＥＳ）。そして、制御回路４７は、すべてのＬＥＤランプ３９を消灯させる（ステップＳ５）。また、ステップＳ２において、バッテリ残量に応じてＬＥＤランプ３９が点灯した後に、電動二輪車１と脱着式バッテリ装置２１との間の電気的接続が検出された場合（バッテリ接続オンの場合）には、制御回路４７は、把持部４１の姿勢に拘わらず、すべてのＬＥＤランプ３９を消灯させる（ステップＳ５）。また、ステップＳ２において、バッテリ残量に応じてＬＥＤランプ３９が点灯した後、利用者が、把持部４１を寝かせることなく、切換スイッチ４０を押下した場合、制御回路４７は、すべてのＬＥＤランプ３９を消灯させる（ステップＳ５）。
【００５９】
また、制御回路４７は、ステップＳ２においてＬＥＤランプ３９が点灯を開始したとき、タイマをスタートさせる。そして、ステップＳ２でＬＥＤランプ３９の点灯を開始してから、利用者が、把持部４１を寝かせることもなく、電動二輪車１と脱着式バッテリ装置２１との間の電気的接続が検出されることもなく、切換スイッチ４０を押下することもなく、所定時間が経過した場合には、制御回路４７は、タイマを用いてこの旨を認識し（ステップＳ４：ＹＥＳ）、すべてのＬＥＤランプ３９を消灯させる（ステップＳ５）。なお、ステップＳ４における所定時間は例えばおよそ１０分である。
【００６０】
図１１および図１２は脱着式バッテリ装置２１の具体的な使用態様を示している。図１１に示すように、電動二輪車１から取り外した状態の脱着式バッテリ装置２１を部屋で充電するときには、脱着式バッテリ装置２１の後面３２Ｂが部屋の床に接するように、脱着式バッテリ装置２１を横置きにする。そして、充電ケーブル５１の一端を充電接続部３７に接続し、充電ケーブル５１の他端をコンセントに接続する。このように脱着式バッテリ装置２１を横置きにした状態では、残量表示ユニット３８が利用者にとって見易い位置となる。利用者は、切換スイッチ４０を押下することにより、バッテリ残量（充電の進捗状況）を容易に確認することができる。
【００６１】
充電が完了した脱着式バッテリ装置２１を電動二輪車１に取り付けるとき、利用者は、脱着式バッテリ装置２１の充電接続部３７から充電ケーブル５１を取り外し、把持部４１を起立させ、把持部４１を手で持って脱着式バッテリ装置２１を持ち上げる。把持部４１が起立したとき、上述した制御回路４７等の動作により、残量表示ユニット３８のＬＥＤランプ３９がバッテリ残量に応じて自動的に点灯する。このようにＬＥＤランプ３９を点灯させるための特別な操作が不要なので、利用者は、煩わしい操作をすることなく、脱着式バッテリ装置２１の運搬を円滑に行うことができる。また、この時点では、脱着式バッテリ装置２１は充電が完了したばかりなので、バッテリは満充電状態であり、それゆえ、すべてのＬＥＤランプ３９が点灯する。これにより明るい照明光が得られる。
【００６２】
利用者が把持部４１を手で持って脱着式バッテリ装置２１を持ち上げて、歩行する姿勢になると、脱着式バッテリ装置２１のケース３２の下面３２Ｄおよび段部３３の下向き面３３Ａが下を向き、地面と対向する。これにより、ＬＥＤランプ３９による照明光によって、利用者の足元とその周囲の地面が照射される。例えば、電動二輪車１が暗所に置かれている場合には、ＬＥＤランプ３９の照明光により利用者の足元が明るくなる。これにより、利用者が暗所で脱着式バッテリ装置２１を、電動二輪車１の周囲の地面に置かれた何らかの物体にぶつけてしまったり、電動二輪車１自体にぶつけてしまうことを防止することができる。また、利用者が、脱着式バッテリ装置２１を電動二輪車１に取り付ける前に、何らかの作業をするために、脱着式バッテリ装置２１を電動二輪車１の周囲の地面等に仮置きする場合には、その場所が暗所であっても、ＬＥＤランプ３９による照明光によって仮置きする場所を確認することができる。したがって、脱着式バッテリ装置２１を仮置きする場所として、他の物体が置かれていない平らな場所を選ぶことができ、脱着式バッテリ装置２１を傾いた場所に誤って置いてしまって脱着式バッテリ装置２１が倒れてしまうことを防止することができる。
【００６３】
さらに、利用者が、図１２に示すように、電動二輪車１のシート８を立ち上げ、収納ボックス９を開け、挿入口１５を介して、脱着式バッテリ装置２１をバッテリ収納部１１内に挿入するときには、挿入口１５、バッテリ収納部１１の内部（例えば底面）、収納ボックス９内の接続部１６付近等がＬＥＤランプ３９による照明光によって照射される。図１２中の二点鎖線はＬＥＤランプ３９による照明光を示している。これにより、利用者は、電動二輪車１が置かれている場所が暗所であっても、バッテリ収納部１１の位置、バッテリ収納部１１内に異物がないか、接続部１６付近に異物がないか、脱着式バッテリ装置２１の取付向きに誤りがないか等を確認することができる。したがって、脱着式バッテリ装置２１を電動二輪車１に容易に、確実にかつ安全に取り付けることができる。
【００６４】
さらに、利用者が、脱着式バッテリ装置２１をバッテリ収納部１１に収納し終え、把持部４１を横に寝かせて非突出状態にすると、上述した制御回路４７等の動作により、ＬＥＤランプ３９が自動的に消灯する。例えば把持部４１を横に寝かせないとシート８が閉じないような構成とすれば、利用者は把持部４１を確実に横に寝かせることとなるので、ＬＥＤランプ３９を確実に消灯させることができ、脱着式バッテリ装置２１の電動二輪車１への取付が完了したにもかかわらず、ＬＥＤランプ３９が点灯したままとなることを防止することができる。これにより、バッテリ本体３１からＬＥＤランプ３９へ不要な電力が供給されることを防止し、電力消費を削減することができる。また、ＬＥＤランプ３９を消灯させるための特別な操作が不要なので、利用者は煩雑な操作を強いられることがない。
【００６５】
一方、脱着式バッテリ装置２１を電動二輪車１から取り外すときには、利用者は、シート８を立ち上げ、バッテリ収納部１１に収納されている脱着式バッテリ装置２１の把持部４１を起立させ、突出状態にする。これにより、上述した制御回路４７等の動作により、ＬＥＤランプ３９が自動的に点灯する。利用者が把持部４１を手で持って脱着式バッテリ装置２１をバッテリ収納部１１から引き出すと、ＬＥＤランプ３９による照明光によって収納ボックス９の挿入口１５が照射される。したがって、利用者は、電動二輪車１が暗所に置かれている場合でも、脱着式バッテリ装置２１を電動二輪車１の立ち上がったシート８やハンドル６等にぶつけることなく、容易に、確実にかつ安全に引き出し、持ち上げ、部屋等へ運ぶことができる。
【００６６】
以上説明した通り、本発明の実施形態による脱着式バッテリ装置２１によれば、暗所での脱着式バッテリ装置２１の電動二輪車１への取付、電動二輪車１からの取外、運搬を容易に、確実にまたは安全に行うことができると共に、脱着式バッテリ装置２１の電動機器への取付、電動機器からの取外、運搬の際に用いる照明光の点灯、消灯の操作の手間をなくすことができる。
【００６７】
さらに、脱着式バッテリ装置２１は、バッテリ残量を利用者に表示するための残量表示ユニット３８のＬＥＤランプ３９により照明光を作り出す構成としたので、照明光を作り出すための手段を脱着式バッテリ装置２１に別途追加することなく、照明光を得ることができる。したがって、脱着式バッテリ装置２１の部品点数を減らし、製造コストを下げることができ、また、脱着式バッテリ装置２１が重くなるのを防止することができる。
【００６８】
なお、上記実施形態では、脱着式バッテリ装置２１のケース３２の下端側に形成された段部３３の下向き面３３Ａに、照明光を発する機能を有するＬＥＤランプ３９を配置する場合を例にあげたが、本発明はこれに限らない。例えば、ケース３２の最下端の下面３２ＤにＬＥＤランプ３９を配置してもよい。ＬＥＤランプ３９をケース３２の最下端に配置すれば、挿入方向Ａに向かって照射される照明光が脱着式バッテリ装置２１の部分に当たって遮られてしまうことを防止できるので、照明光の照射範囲を拡げることができる。一方、ＬＥＤランプ３９を必ずしもケース３２の下端や最下端に配置しなくてもよい。照明光の必要とされる照射範囲を確保することができれば、ＬＥＤランプ３９をケース３２の他の部分の下向き面に配置してもよい。また、ＬＥＤランプ３９を必ずしもケース３２の真下を向いた面（挿入方向Ａに対して直角に交わる面）に配置する必要はなく、照明光の必要とされる照射方向を確保することができれば、例えばＬＥＤランプ３９をケース３２において斜め下を向いた面等に配置することも可能である。
【００６９】
また、上記実施形態では、図１２に示すように挿入方向Ａがほぼ下向きであったが、本発明はこれに限らない。本発明は、例えば、挿入方向がほぼ水平方向である脱着式バッテリ装置や、挿入方向がほぼ上向きである脱着式バッテリ装置にも適用することができる。
【００７０】
また、上記実施形態では、利用者が把持部４１を起立させて突出状態にしたときにＬＥＤランプ３９を点灯させ、利用者が把持部４１を横に寝かせて非突出状態としたときにＬＥＤランプ３９を消灯させる場合を例にあげたが、把持部４１にばね等の付勢手段を設け、利用者が把持部４１から手を離すと、把持部４１が付勢手段により与えられる付勢力によって突出状態から非突出状態に自動的に移動する構成としてもよい。この構成によれば、利用者が把持部４１から手を離すだけで、自動的に把持部４１が非突出状態となり、ＬＥＤランプ３９が消灯するので、利用者による操作の手間をさらに減らすことができる。
【００７１】
また、上記実施形態では、把持部４１の姿勢（突出状態、非突出状態）を、把持部４１の軸部４３に設けられたカム部４６およびセンサ４４により検出し、この検出結果に基づいてＬＥＤランプ３９の点灯、消灯を切り換える場合を例にあげたが、本発明はこれに限らない。例えば、利用者が把持部４１を握ったことを検出するセンサ等を把持部４１に設け、このセンサの検出結果に基づいてＬＥＤランプ３９の点灯、消灯を切り換えてもよい。この構成によれば、利用者が把持部４１を握ったときにＬＥＤランプ３９を自動的に点灯させ、利用者が把持部４１から手を離したときにＬＥＤランプ３９を自動的に消灯させることができる。
【００７２】
また、上記実施形態では、図１０に示すように把持部４１の姿勢を検出してＬＥＤランプ３９の点灯、消灯を自動的に切り換える場合を例にあげたが、本発明はこれに限らない。例えば、図１３に示すように、把持部４１の姿勢を検出することなく、ＬＥＤランプ３９の点灯、消灯を自動的に切り換える構成も可能である。
【００７３】
すなわち、図１３において、制御回路４７は、電動二輪車１の接続部１６と脱着式バッテリ装置２１の接続部３６との間が切断されたか否か（バッテリ接続オフか否か）を判断する（ステップＳ１１）。この判断の方法は、電動二輪車１に設けられた電気回路と脱着式バッテリ装置２１のバッテリ本体３１との間の電気的接続の有無を電気的に検出するセンサ回路（接続検出部）を設け、これにより両者間が電気的に切断されたか否かを判断する方法でもよいし、脱着式バッテリ装置２１がバッテリ収納部１１に挿入されているか否かを検出するセンサまたはスイッチ等（挿入検出部）を設け、これにより脱着式バッテリ装置２１がバッテリ収納部１１から引き出されたことを検出する方法でもよいし、電動二輪車１の収納ボックス９内に設けられたバッテリロックケーブル１７Ａが引っ張られたことを検出する方法でもよい。電動二輪車１の接続部１６と脱着式バッテリ装置２１の接続部３６との間が切断された場合には（ステップＳ１１：ＹＥＳ）、制御回路４７は、脱着式バッテリ装置２１による電力供給が正常に終了したか否かを確認した後（ステップＳ１２：ＹＥＳ）、ＬＥＤランプ３９を点灯させる（ステップ１４）。これにより、利用者が脱着式バッテリ装置２１を電動二輪車１から取り外すと、ＬＥＤランプ３９が自動的に点灯する。なお、脱着式バッテリ装置２１による電力供給が正常に終了しなかった場合にはＬＥＤランプ３９を点灯させずにエラー表示等を行い、処理を終了する（ステップＳ１２：ＮＯ、ステップＳ１３）。
【００７４】
さらに、図１３において、ステップＳ１４の後、制御回路４７は、電動二輪車１の接続部１６と脱着式バッテリ装置２１の接続部３６との間が接続されたか否か（バッテリ接続オンか否か）を判断する（ステップＳ１５）。この判断の方法は、電動二輪車１に設けられた電気回路と脱着式バッテリ装置２１のバッテリ本体との間の電気的接続の有無を電気的に検出するセンサ回路（接続検出部）を設け、これにより両者間の電気的接続が確立されたか否かを判断する方法でもよいし、脱着式バッテリ装置２１がバッテリ収納部１１に挿入されているか否かを検出するセンサまたはスイッチ等（挿入検出部）を設け、これにより脱着式バッテリ装置２１がバッテリ収納部１１に挿入されたことを検出する方法でもよい。電動二輪車１の接続部１６と脱着式バッテリ装置２１の接続部３６との間が接続された場合には（ステップＳ１５：ＹＥＳ）、制御回路４７はＬＥＤランプ３９を消灯させる（ステップ１７）。これにより、利用者が脱着式バッテリ装置２１を電動二輪車１に取り付けると、ＬＥＤランプ３９が自動的に消灯する。なお、制御回路４７は、ステップＳ１４でＬＥＤランプ３９を点灯させた後、利用者が切換スイッチ４０を押下した場合や、ステップＳ１４でＬＥＤランプ３９を点灯させてから所定の時間が経過した場合（ステップＳ１６：ＹＥＳ）にも、ＬＥＤランプ３９を消灯させる（ステップＳ１７）。
【００７５】
一方、上記実施形態では、ＬＥＤランプ３９が点灯する個数によりバッテリ残量を表示する場合を例にあげたが、これに代えて、ランプの色によりバッテリ残量を表示してもよい。また、上記実施形態では、照明光を発する手段（照明部）として、バッテリ残量を表示するＬＥＤランプ３９を利用する場合を例にあげたが、本発明はこれに限らず、バッテリ残量を表示するランプとは別に、照明光を発するランプを設けてもよい。
【００７６】
また、上記実施形態では、本発明の脱着式バッテリ装置を電動二輪車１に電力を供給するための装置に適用する場合を例にあげたが、本発明はこれに限らず、電動アシスト自転車、電動車いす等、他の電動車両に電力を供給する装置にも適用することができ、さらに、電動車両に限らず、他の電動機器にも広く適用することができる。なお、本発明の脱着式バッテリ装置を他の電動車両等の電動機器に適用した場合であって、脱着式バッテリ装置を電動機器に取り付けた状態で、脱着式バッテリ装置に設けられたバッテリ残量表示手段（残量表示ユニット）が利用者から見えない位置に配置されてしまう場合には、上記実施形態におけるメータ７の残量表示部２６のように、脱着式バッテリ装置の取付時にバッテリ残量を利用者に表示するための手段を電動機器に設けることが望ましい。
【００７７】
また、本発明は、請求の範囲および明細書全体から読み取ることのできる発明の要旨または思想に反しない範囲で適宜変更可能であり、そのような変更を伴う脱着式バッテリ装置もまた本発明の技術思想に含まれる。
【符号の説明】
【００７８】
１  電動二輪車（電動機器）
８  シート
９  収納ボックス
１１  バッテリ収納部（バッテリ収納空間）
１５  挿入口
２１  脱着式バッテリ装置
３１  バッテリ本体
３２  ケース
３２Ｄ  下面
３３Ａ  下向き面
３８  残量表示ユニット
３９  ＬＥＤランプ（照明部）
４０  切換スイッチ
４１  把持部
４２  支持部
４３  軸部
４４  センサ（状態検出部）
４５  検知突起部
４６  カム部
４７  制御回路（照明光制御部）
【図１】
0005915226.tif 000002
【図２】
0005915226.tif 000003
【図３】
0005915226.tif 000004
【図４】
0005915226.tif 000005
【図５】
0005915226.tif 000006
【図６】
0005915226.tif 000007
【図７】
0005915226.tif 000008
【図８】
0005915226.tif 000009
【図９】
0005915226.tif 000010
【図１０】
0005915226.tif 000011
【図１１】
0005915226.tif 000012
【図１２】
0005915226.tif 000013
【図１３】
0005915226.tif 000014